Podtech/llm-jp-corpus-v4-ja_patent huggingface dataset:
(57)【要約】      （修正有）【課題】犬、猫、ハムスター等のペットの口臭、体臭、加齢臭、便臭、尿臭などを消す消臭ペットフードを提供する。【解決手段】ペットフードにクロロフィルを煉り込むことより、ペットが食事としてこのペットフードを摂取するだけで、口臭は勿論のこと、加齢臭、便臭、尿臭、などを消すことができるとともに、過栄養、過カロリーを防ぐことができる消臭ペットフードである。【選択図】図１
0003145525.tif 000002
【実用新案登録請求の範囲】
【請求項１】
クロロフィルを煉り込んでなる消臭ペットフード。
【考案の詳細な説明】
【技術分野】
【０００１】
本考案は、犬、猫、ハムスター等のペットの口臭、体臭、加齢臭、便臭、尿臭などを消す消臭ペットフードに関するものである。
【背景技術】
【０００２】
ペットフードはペットフード公正競争規約の定義では、「穀類、デンプン類、糟糠類、糖類、油脂類、種実類、豆類、魚介類、肉類、卵類、野菜類、乳類、果実類、きのこ類、藻類、ビタミン類、ミネラル類、アミノ酸類、その他の添加物等を原材料とし、混合機、蒸煮機、成型機、乾燥機、加熱殺菌機、冷凍機等を使用して製造したもの、又は天日干し等簡易な方法により製造したもので、イヌ・ネコの飲食に供するもの」をいう。そしてペットフード公正取引協議会が定めた栄養基準に合致するものが「総合栄養食」として販売できる。「総合栄養食」とは、水とこれを摂取するだけで完全に栄養のバランスが取れることをいう。
また、犬用のペットフードについては、年齢別（幼犬用、成犬用、中高齢犬用）、症状別（肥満犬用、関節病犬用など）、犬種別（プードル用、レトリバー用など）など様々なペットフードが市販されている。
【特許文献１】実用新案登録第３０９９６２８号
【特許文献２】特開２００５−１８５２４５号
【０００３】
しかし、どのペットフードも、消臭効果を前面に出しているものはみられず、ペットの臭いに困っている多くの飼い主は、市販の消臭剤や家電の消臭器などを使ってはいるものの、根本的な解決には至らなかったものである。
【考案の開示】
【考案が解決しようとする課題】
【０００４】
解決しようとする問題点は、ペットフードにクロロフィルを煉り込むことより、ペットが食事としてこのペットフードを摂取するだけで、口臭は勿論のこと、加齢臭、便臭、尿臭、便臭などを消すことができるとともに、過栄養、過カロリーを防ぐことができる消臭ペットフードを提供することにある。
【課題を解決するための手段】
【０００５】
本考案は、この解決策として、ペットフードにクロロフィリンを配合してなることを主要な特徴とする。
【考案の効果】
【０００６】
本考案の消臭ペットフードは、クロロフィリンを配合しているから、口臭は勿論のこと、加齢臭、便臭、尿臭、便臭などにも著しい消臭効果がある。
【考案を実施するための最良の形態】
【０００７】
クロロフィリンをペットフードに練り込むことにより実現した。
【実施例１】
【０００８】
図１は、本案消臭ペットフード１の実施の一例を示す概略図であって、犬用ペットフード（ドライフード）５０ｇにつき２０ｍｇのクロロフィリンが練り込まれている。小型の成犬の場合、１日に１，２回の食事を与えるとして、たとえば５kｍｇのペキニーズやシーズであれば、１日１３０g前後与えるから、５２ｍｇのクロロフィリンが摂取されることとなる。
勿論、年齢別（幼犬用、成犬用、中高齢犬用）、症状別（肥満犬用、関節病犬用など）、犬種別（プードル用、レトリバー用など）などに応じたペットフード商品であればそれぞれに対応するクロロフィリンの量を練り込めばよい。また練り込む対象もドライフード、ソフトドライ（セミモイスト）、ウエットのいずれでもよく、ドライフードでも缶詰でもよく、ペットの種類も犬や猫に限らない。クロロフィリンについては鉄クロロフィリンあるいは銅クロロフィリンのいずれでもよく限定されない。
【産業上の利用可能性】
【０００９】
ペットフードにクロロフィリンを配合しているから、ペットフードを食事として与えるだけで、ペットの口臭は勿論のこと、加齢臭、便臭、尿臭、便臭などにも著しい消臭効果が得られる。
【図面の簡単な説明】
【００１０】
【図１】本考案に係る消臭ペットフードの実施の一例を示す概略斜視図である。
【符号の説明】
【００１１】
１  本案消臭ペットフード
２  クロロフィリン
【図１】
0003145525.tif 000003
(57)【要約】      （修正有）【課題】外用薬を貼り付けにくい患部に貼り付ける場合には一人で簡単に貼り付ける事が出来る補助具を提供する。【解決手段】両面弱粘着紙テープ３を基材１に貼り付け、外用薬を軽く手で押しながら貼り付け剥離フイルム５を剥がす。１に適度な角度・湾曲・柔軟性の一体化。把手２を持って基材１に貼り付けた薬４を、一人で簡単に貼る事が出来る。特徴は、両面弱粘着紙テープの粘着力を応用したことである。粘着紙の粘着力が劣化した場合は、貼りかえる。【選択図】図１
0003147104.tif 000002
【実用新案登録請求の範囲】
【請求項１】
貼り薬を貼り付ける基材に適度な角度で、両面弱粘着紙テープを貼る事を特徴とする、薬を患部に貼る簡便な補助具。
【請求項２】
請求項１両面弱粘着紙テープ基材と、２把手部分に貼り薬を貼り付け患部に簡単に貼り付けが出来る様に湾曲と角度と柔軟性をもった特徴のある補助具。
【考案の詳細な説明】
【技術分野】
【０００１】発明の属する技術分野、本発明は手軽で簡便に患部に貼り薬を貼れる補助具。【０００２】従来の技術で従来貼り薬を貼る時は、貼り薬の剥離フィルムを剥がし患部に貼る。その場合問題なのが、薬面と薬面が接着するので一人で肩・背中・腰などに貼るのが難しい。外用薬は、軟らかい材質でシワが発生するので失敗する事が多く不経済である。この、補助具を使用すればシワのロスが発生しないのが長所である。
【考案の開示】
【考案が解決しようとする課題】
【０００３】本発明は、貼り薬を両面弱粘着紙テープを基材に貼り付けて２の把手を持って患部に貼り付ける。外用薬が患部に密着する。基材に適度な角度や湾曲・柔軟性に優れた基材で対応。簡単に貼る事が出来る特徴のある補助具。角度１３０度〜１５０度。【０００４】発明の実施の形態以下、本発明の実施について説明する。基材は、プラスチック成型体。合成樹脂。ステンレス可。
【課題を解決するための手段】
【０００５】本発明に使用する両面弱粘着紙テープの糊面に貼り付く様に軽く手で押し接着させて剥離フイルムを剥がし補助具を応用し患部に貼り付ける。適度の接着力を持った物とする。基材から貼り薬を剥がれやすくする為。
【考案の効果】
【０００６】本発明の補助具は、簡単で外用薬を貼り付ける場合を考えると貼り付けが簡単である時にシワ不良が発生しないので経済的。適確に患部に貼る事が出来る。
【考案を実施するための最良の形態】
【０００７】本発明は、両面粘着紙テープを基材に貼りそれを支える把手は貼り薬を肩・背・腰に貼りやすい様な基材に柔軟性をもち、湾曲で適度な角度とシナリを持った補助具。【０００８】本発明の補助具を使用し、自分自身の患部に外用薬を貼る事が出来た時は感動です。シワも無く、綺麗に貼る事が出来るので一般的に使用可能性大である。
【産業上の利用可能性】
【０００９】病院で介護する場合に平判上に、両面弱粘着紙テープを貼り付けて寝たきりの患者さんの患部に簡単に貼る事が出来る可能性がある。貼る面の患部が大きい場合、特に効果があると考える。シワ発生がない。
【図面の簡単な説明】
【００１０】
【図１】本発明した貼り薬を一人で貼り付ける場合の基材
【図２】断面図
【図３】側面図
【図４】本発明の両面弱粘着紙テープを貼り付け粘着面に外用薬を貼り付けた斜視図
【図５】貼り薬を貼り付け補助具を使用している一例図
【符号の説明】
【００１１】１両面弱粘着紙テープを貼る基材
２把手
３両面弱粘着紙テープ
４貼り薬
５貼り薬の剥離フイルム
６湾曲
【図１】
0003147104.tif 000003
【図２】
0003147104.tif 000004
【図３】
0003147104.tif 000005
【図４】
0003147104.tif 000006
【図５】
0003147104.tif 000007
【手続補正書】
【提出日】平成20年9月10日(2008.9.10)
【手続補正１】
【補正対象書類名】実用新案登録請求の範囲
【補正対象項目名】全文
【補正方法】変更
【補正の内容】
【実用新案登録請求の範囲】
【請求項１】
貼り薬を貼り付ける基材に適度な角度で両面弱粘着紙テープを貼る事を特徴とする薬を患部に貼る簡便な補助具。
(57)【要約】【課題】石製、木製、タイル製の浴槽又はプールなどの意匠を損なわず、腐食や破損をした際の交換が容易な配管口用目皿を提供する。【解決手段】ベースとして上面が全面開口している浅型の直方体の箱を造り、底面に水を通すためのスリットを設ける。スリットは、同方向に数箇所開ける。箱の底面内側の、スリット以外の部分に化粧板を接着することで目皿を形成する。これを配管口に直接取り付ける配管口用金物とは別に、その上に目隠しのように設置する。腐蝕や破損などで交換が必要なときは、配管口用金物を取り外さず本考案のみ交換すればよい。【選択図】図１
0003147106.tif 000002
【実用新案登録請求の範囲】
【請求項１】
ステンレスで、上面が全面開口した浅い直方体の箱を造り、開口部に対面している底面にスリットを設けて成る、浴槽又はプール用などの水槽用の配管口用目皿であって、底面の開口部側の、スリット以外の部分に化粧板を接着することで製造される、配管口用目皿
【請求項２】
化粧板が石製である、請求項１の配管口用目皿
【請求項３】
化粧板が木製である、請求項１の配管口用目皿
【請求項４】
化粧板がタイル製である、請求項１の配管口用目皿
【考案の詳細な説明】
【技術分野】
【０００１】  本考案は、浴槽又はプールなどの水槽に設けた、排水口、濾過吸込口及び濾過吐出口などの配管口に取り付ける目皿に関する。
【背景技術】
【０００２】  従来の配管口に取り付ける目皿は、所謂金物と呼ばれる配管口用部品と一体となっており、耐蝕性などの観点からステンレス製のものが多かった。これを、石製、木製、タイル製の浴槽又はプールなどに使用すると、意匠を損ない、利用者の満足度を下げる場合がある。しかし、金物用の目皿自体を石、木、タイルなどで製作したり、ステンレスの目皿に加工を施したりすると、腐蝕や破損をした際に交換がしにくく、運用上不便である。
【考案の開示】
【考案が解決しようとする課題】
【０００３】  そこで本考案は、石製、木製、タイル製の浴槽又はプールなどの意匠を損なわず、腐食や破損をした際の交換が容易な配管口用目皿を提供するものである。
【課題を解決するための手段】
【０００４】  本考案では、配管口に直接取り付ける配管口用金物とは別に、その上に目隠しのように別の目皿を設置する。ベースとして上面が全面開口している浅型の直方体の箱を造り、底面に水を通すためのスリットを設ける。スリットは、同方向に数箇所開ける。箱の底面内側の、スリット以外の部分に化粧板を接着することで形成する。【０００５】  ベースの箱は、耐蝕性及び強度が必要となるため、ステンレスを用いる。接着する化粧板を設置する浴槽又はプールの底部と同じ材質にすれば目立たないため、浴槽又はプールの意匠を損なわない。現場設置前には化粧板の間からステンレスのベースが見えるが、設置後は、離れて見ることと水による反射とで目立たなくなる。【０００６】  腐蝕や破損などで交換が必要なときは、配管口用金物を取り外さず本考案のみ交換すればよい。本考案を取り外すときは、スリット部分から鉤を差し込み、引っ掛けるようにして持ち上げるとよい。
【考案の効果】
【０００７】  本考案を利用すると、石製、木製、タイル製の浴槽又はプールなどの意匠を損なわず、腐食や破損をした際の交換が容易な配管口用目皿を提供できる。
【考案を実施するための最良の形態】
【０００８】  以下、本考案の実施形態を図面とともに説明する。図１は、本考案の平面図である。また、図２は、図１の目皿の断面図Ａ−Ａ’である。
【実施例１】
【０００９】  符号１のステンレス製箱型ベースには、符号２の化粧板が接着されている。符号２の化粧板の間に符号３のスリットが設けられ、浴槽若しくはプールの水は、符号３のスリットを通って浴槽若しくはプールへ又は配管へ流出する。【００１０】  図３は、符号１のステンレス箱型の展開図である。製造するときは、図３のような形状にステンレスを切り出し、符号３のスリットを設けた後、符号４の谷折線で折り曲げて側面を形成する。側面が隣り合った角の部分は、溶接して一体化する。符号３のスリットがある面の、側面で囲まれた側の符号２ｂの化粧板取付位置に、符号９の床材と同じ材質の、符号２ａの化粧板を接着する。化粧板の形状は、図面ではスリット幅及び底面の寸法に合わせているが、それより小さい寸法のものを組み合わせて使用しても同様の効果を得ることができる。いずれの場合も、底面に設けたスリットを塞がない様注意する。【００１１】  図４は本考案の施工例、図５は図４の実施例の断面図Ｂ−Ｂ’である。建物自体である符号５のコンクリート躯体と符号６の配管は、予め現場で施工しておく。そこへ、符号７の配管口用金物の目皿と符号８の配管口用金物からなる、通常使われる金物を設置し、金物の周辺に本考案が収まる寸法の区画を残して、符号９の床材を接着する。一通りの施工が完了したところで、本考案を配管口上に設置する。本考案は取り外すことがあるため、符号５のコンクリート躯体又は符号８の配管口用金物又は符号９の床材には接着しない。
【産業上の利用可能性】
【００１２】  本考案は、浴槽若しくはプールの施工において、意匠を損なわず且つ腐食や破損をした際の交換が容易なように配管口用目皿を設置する際に使用できる。又、予め工事現場以外の場所で組み立てておくユニット式浴槽に対しても、現場施工時と同じように利用できる。この場合、ユニット式浴槽のベースに床材を接着させるが、本考案に使用する化粧板を、ベースに接着させる床材と同じ材質にすることにより効果が出る。【００１３】  設計者の意図で、従来の配管口用目皿は見せたくないが、意匠として別の色若しくは材質のものを用いたいという場合は、異なる色若しくは材質の化粧板を使うこともできる。
【図面の簡単な説明】
【００１４】
【図１】図１は、本考案の平面図である。
【図２】図２は、図１の考案の断面図Ａ−Ａ’である。
【図３】図３は、本考案のステンレス製箱型ベースの展開図である。
【図４】図４は、本考案の施工例である。
【図５】図５は、図４の実施例の断面図Ｂ−Ｂ’である。
【符号の説明】
【００１５】１    ステンレス製箱型ベース
２ａ  化粧板
２ｂ  化粧板取付位置
３    スリット
４    谷折線
５    コンクリート躯体
６    配管
７    配管口用金物の目皿
８    配管口用金物
９    床材
【図１】
0003147106.tif 000003
【図２】
0003147106.tif 000004
【図３】
0003147106.tif 000005
【図４】
0003147106.tif 000006
【図５】
0003147106.tif 000007
(57)【要約】【課題】本考案は、幼児が飽きたら玩具を買い換えるということなく、買い足していくことで飽きずに継続して遊ぶことができ、また年齢を問わず幼児が遊んで楽しめるような、幼児の入浴時または水遊び時に使用する玩具を提供するものである。【解決手段】耐水性を有する素材で、例えば顔などが印刷された人や動物などの形の基本台紙パーツの上に、同じく耐水性を有する素材で、前述の人や動物のサイズに合う複数個のパーツ、例えば服やかばん、靴などの形に切り抜いたものを上から貼り重ねていくことで、着せ替えのように楽しめるものである。【選択図】図５
0003147109.tif 000002
【実用新案登録請求の範囲】
【請求項１】
耐水性を有する素材で、両面が平面であるシート状の基本台紙パーツの上に、同じく耐水性を有する素材で、少なくとも１面が平面である複数個のパーツを重ね合わせていくことで、それらの組み合わせを楽しむことができる玩具で、それらのパーツを水に濡らすことにより、水の張力を利用して基本台紙パーツのうち片方の平面を壁や窓に貼り付け、さらにその上から少なくとも１面が平面であるパーツを複数個張り重ねることで楽しむことができる、幼児の入浴時または水遊び時に使用する玩具
【考案の詳細な説明】
【技術分野】
【０００１】  本考案は、幼児の入浴時または水遊び時に使用する玩具に関するものである。
【背景技術】
【０００２】従来より、幼児は入浴時または水遊び時には、ボール、船、水面に浮く人形、金魚すくいを真似たものなどが入浴時または水遊び時の玩具として使用されている。しかし、このような玩具は単一、またはそれに付随する道具を一緒に使うことで遊ぶものが多く、さらに買い集めコレクションを増やしていく、ということができないことから、子供が飽きると使えなくなるものが多い。【０００３】最近、お風呂の壁に貼り付けて学ぶことを目的とした耐水性を有する「５０音の表」や「アルファベットの表」、またパズル感覚で楽しみながら文字や地図を覚える玩具（実用新案登録第３０４７２８４号）などもあるが、適応年齢が限られ、また学習要素が高いため、まだ文字を覚えられないような幼児が単純に楽しめる玩具としては使いにくい。
【考案の開示】
【考案が解決しようとする課題】
【０００４】本考案は、幼児が飽きたら玩具を買い換えるということなく、買い足していくことで飽きずに継続して遊ぶことができ、また年齢を問わず幼児が遊んで楽しめるような、幼児の入浴時または水遊び時に使用する玩具を提供するものである。
【課題を解決するための手段】
【０００５】本考案を図面をもって説明する。本考案の要旨は、耐水性を有する素材で、例えば顔などが印刷された人や動物などの形の基本台紙パーツ（図１）の上に、同じく耐水性を有する素材で、前述の人や動物のサイズに合う複数個のパーツ、例えば服（図２）やかばん（図３）靴（図４）などの形に切り抜いたものを上から貼り重ねていくことで（図５、図６）、着せ替えのように楽しめるものである。【０００６】これらの部品は、耐水性をもち、かつ少なくとも一面が平面であることが望ましい。その平面部分を水でぬらし水の張力を利用することで、複数枚を貼り重ねていくことができる。【０００７】さらには同じ素材で、例えば男の子が好む電車や車のような乗り物と、線路や道路などを作り組み合わせれば、まるで線路の上を電車が走っているように貼り付けて遊ぶこともできる。
【考案の効果】
【０００８】以上に述べたように、本考案は、耐水性を有する素材を使って、様々な絵柄、形の複数個のパーツを組み合わせ、水の張力を利用してそれらを貼り重ねていくことで、年齢問わず幼児が浴室の壁や窓などに貼り付けて遊ぶことができる。
【図面の簡単な説明】
【０００９】
【図１】本考案にかかる基本台紙パーツの平面図
【図２】本考案にかかる複数個のパーツの一例の平面図
【図３】本考案にかかる複数個のパーツの一例の平面図
【図４】本考案にかかる複数個のパーツの一例の平面図
【図５】本考案にかかる基本台紙パーツと複数個のパーツを重ね合わせた一例
【図６】図６を壁に重ね合わせた場合を横から見た図
【符号の説明】
【００１０】    １  浴室の壁
２  基本台紙パーツ
３  複数個のパーツ
【図１】
0003147109.tif 000003
【図２】
0003147109.tif 000004
【図３】
0003147109.tif 000005
【図４】
0003147109.tif 000006
【図５】
0003147109.tif 000007
【図６】
0003147109.tif 000008
(57)【要約】      （修正有）【課題】メジャーカップを容器の蓋に取り付けることで、粉末・液体等の容器からスプーンを使わず、内容物を簡単且つ適量の抽出を可能にしたスプーン機能付容器を提供する。【解決手段】円筒・円錐状のカップを斜めにカットしたメジャーカップ２を粉末・液体等の容器の蓋１に取り付け、メジーカップ２の内側に小さじ１ライン３・大さじ１ライン４とスプーン代用部５を設けて構成する。なお、メジャーカップ２は容器の蓋１と一体に形成しても、又分離し、メジャーカップの底部と該容器の蓋とを粘着テープ等で脱着自在としても良い。【選択図】図１
0003147102.tif 000002
【実用新案登録請求の範囲】
【請求項１】
円筒・円錐状のカップを斜めにカットしたメジャーカップを容器に取り付けた構造のスプーン機能付容器
【請求項２】
前記、［請求項１］のメジャーカップに小さじ１・大さじ１等の計量ララインを設けたスプーン機能付容器
【請求項３】
前記、［請求項１］のメジャーカップを容器の蓋に形成したスプーン機能付容器
【請求項４】
前記、［請求項１］のメジャーカップの底部に両面粘着テープ等を取り付け容器の蓋に脱着を可能にしたスプーン機能付容器
【考案の詳細な説明】
【技術分野】
【０００１】  この考案は、粉末・液体等の容器からスプーンを使わず、内容物を簡単且つ適量の抽出を可能にした、スプーン機能付容器を提供するものである。
【背景技術】
【０００２】  一般的に粉末・液体等の容器から内容物を取り出す時、スプーン等を使用するが、その都度スプーンの出し入れや洗ったりする面倒がある。又容器内にスプーンを入れて何度も使う事もあるが、濡れた手で湿気を呼んだり汚れたりして、衛生上問題が有ります。
【考案の開示】
【考案が解決しようとする課題】
【０００３】  粉末・液体等の容器から内容物をスプーンを使わず、簡単且つ適量の抽出を可能にした構造のスプーン機能付容器を提供する。【０００４】  容器にスプーンの機能を設け、機能性と利便性を追求するものである。【０００５】  それは容器の内容物の汚れや湿気の防止を図り、衛生管理を追求するものである。
【課題を解決するための手段】
【０００６】  円筒・円錐状のカップを斜めにカットし、その内面に小さじ１・大さじ１の量を現す計量ラインを設けたメシャーカップを容器の蓋に取り付けた構造とする。【０００７】  メジャーカップは、取り付ける容器の大きさにより、斜めにカットする角度や容積等を設定し、スプーンの機能と計量機能が発揮できる構造とする。【０００８】  メジャーカップと容器の蓋を一体に形成した構造とメジャーカップの底部に両面粘着テープ等を貼り、容器の蓋に脱着を可能したスプーン機能付容器の構造とする。
【考案の効果】
【０００９】  斜めにカットしたメジャーカップを備えた本考案のスプーン機能付容器により、メジャーカップの先で内容物を砕いたり、すくったりすることが可能になった。
又、斜めにカットしたメジャーカップの構造によりコンパクトな設計でも広口の投入口と視野が確保されるので、内容物の直接カップへの移動が容易になった。更には斜にカットしたメジャーカップの先は、取り出した内容物の軌道となり、他の器への移動をスムースにする効果もある。【００１０】  本考案のメジャーカップの計量ラインは、料理等で使用頻度が高い小さじ１・大さじ１等を重視しているので、スプーンを使わず、内容物が容易に且つ適量を抽出することが可能になった。【００１１】  既存の容器の蓋に、脱着を可能にしたメジャーカップを取り付けることで、本考案のスプーン機能付容器が簡単に作れようになった。【００１２】  本考案のスプーン機能付容器は、汚れや濡れた手でも内容物を抽出できるので、容器内に湿気を呼んだり、汚すことがなくなり衛生面でも効果がある。
【考案を実施するための最良の形態】
【００１３】  本考案の実施形態を添付図面に基づいて説明する。図１は斜めにカットしたメジャーカップを備えた本考案のスプーン機能付容器です。本考案のスプーンを使わずに、容器の内容物が容易に適量を抽出するための最良の形態である。【００１４】  本考案のスプーン機能付容器の構造は、円筒・円錐状のカップを斜めにカットしたメジャーカップ（２）を粉末・液体等の容器の蓋（１）に取り付けたものです。メジーカップ（２）の内側に小さじ１ライン（３）・大さじ１ライン（４）とスプーン代用部（５）を設けた構造のスプーン機能付容器です。
【図面の簡単な説明】
【００１５】図１は円筒・円錐状のカップを斜めにカットしたメジャーカップを容器に取り付けた構造のスプーン機能付容器の斜視図
【符号の説明】
１．容器の蓋入口
２．斜めにカットしたメジャーカップ
３．小さじ１ライン
４．大さじ１ライン
５．スプーン代用部
６．容器
【図１】
0003147102.tif 000003
【手続補正書】
【提出日】平成20年9月5日(2008.9.5)
【手続補正１】
【補正対象書類名】実用新案登録請求の範囲
【補正対象項目名】全文
【補正方法】変更
【補正の内容】
【実用新案登録請求の範囲】
【請求項１】
円筒・円錐状のカップを斜めにカットしたメジャーカップを容器に取り付けた構造のスプーン機能付容器
【請求項２】
請求項１のメジャーカップに小さじ１・大さじ１等の計量ラインを設けたスプーン機能付容器
【請求項３】
請求項２のメジャーカップを容器の蓋に形成したスプーン機能付容器
【請求項４】
請求項２のメジャーカップの底部に両面粘着テープ等を取り付け容器の蓋に脱着を可能にしたスプーン機能付容器
【手続補正２】
【補正対象書類名】明細書
【補正対象項目名】００１５
【補正方法】変更
【補正の内容】
【００１５】
【図１】は円筒・円錐状のカップを斜めにカットしたメジャーカップを容器に取り付けた構造のスプーン機能付容器の斜視図
(57)【要約】      （修正有）【課題】ヘルメットに簡単に装着でき、取り扱い性や使用時の違和感がなく、日除け・防風・暴雨・防寒ができ、安価に実施できるヘルメット用カバーを提供する。【解決手段】既成ヘルメット１の縁に存在する突起２を日除け部位として利用し、その突起２に、突起２を嵌入できるような凹形状のチューブ３を固着した日除け部材４を挿着し、炎天下の日射病を予防し、紫外線の防止、冬は厚手の布を使用すると防寒、防風の効果があり、離脱が容易な防寒マスクとしての効果も備えることができる構成にした。【選択図】図１
0003147176.tif 000002
【実用新案登録請求の範囲】
【請求項１】
既成ヘルメットの縁に存在する突起を日除け部位として利用し、その突起に、チューブを固着した日除け部材を挿着することを特徴とする日除け及び防寒カバー付ヘルメット。
【請求項２】
日除け部材には、突起を嵌入できるような凹形状のチューブを固着したことを特徴とする請求項1の日除け及び防寒カバー付ヘルメット。
【考案の詳細な説明】
【技術分野】
【０００１】
日除け及び防寒カバー付ヘルメットに関するものである。
【背景技術】
【０００２】
猛暑の作業で熱中症、皮膚炎、脱水症等が心配される炎天下の作業は、最近でも、タオルを被り頭にヘルメットをのせて作業をするとか、日除けの帽子を被りその上からヘルメットを被る不安全行為を良く見る。
【０００３】
従来は、ヘルメットの後頭部に固定具をつけて日よけ布を垂れさげるものがある。（特許文献１）
【０００４】
さらに、日除けを最初から固定してつけているヘルメットがある。（特許文献２）
【０００５】
ヘルメット後頭部のベルトの部分に面テープで取り付け可能のものがある。（非特許文献１）
【０００６】
ヘルメットの上に輪状のゴムを通して首筋を覆うものがある。（非特許文献２）
【特許文献１】特開２００５−０２９９０１（Ｐ２００５−２９９０１Ａ）
【特許文献２】特開２００６−２１９７９１（Ｐ２００６−２１９７９１Ａ）
【非特許文献１】「ソーカイくん」意匠登録第１１７８００３号  株式会社プロップ
【非特許文献２】防たれＤＸ  株式会社フクヨシ
【考案の開示】
【考案が解決しようとする課題】
【０００７】
ヘルメットの下に日よけの帽子を重ねて被ることはヘルメットの安全性に欠ける。また、ヘルメットに一部を固定しているだけの日除けは、安定感がなく作業をするときにかごむと落下をすることや、風で動くことがあるため安全性に欠けるという問題点があった。
【０００８】
また、従来のヘルメットに取り付ける日除けは、金具を使うためにヘルメットに安易に取り付けることが出来ない。逆に、最初から日除け付のヘルメットは取り外すことが出来ないという問題点があった。
【課題を解決するための手段】
【０００９】
上記の課題を解決するために、
図1に示すように、既成ヘルメット1の縁に存在する突起2を日除け部位として利用し、その突起2に、チューブ3を固着した日除け部材4を挿着することを特徴とする。
【００１０】
さらに、図2及び図3、図4、図5、図6に示すように、日除け部材4には、突起2を嵌入できるような凹形状のチューブ3を固着したことを特徴とする。
【考案の効果】
【００１１】
上記したように本考案はヘルメット1に存在する縁の突起2に直接チューブ3を挿着するので、炎天下の日射病を予防し、紫外線の防止になる。
【００１２】
また、溶接現場においては日除部材4が防塵と反射紫外線を遮断するので作業性の面での安全性が良い。
【００１３】
また、日除部材4は軽量である為作業に違和感を持たない。日除部材4は遮光と防塵にも優れてしかも、直接日除部材4が肌に触れないので、違和感が無く、夏冬兼用できる。
【００１４】
また、日除部材4と肌との空間を保つことができるので自然の木陰の涼感がある。日除部材4が直接皮膚に触れず、首筋に入ることが無い為汚れが少なくなる。
【００１５】
また、冬は厚手の布を使用すると防寒、防風の効果がある。また、離脱が容易な防寒マスクとしての効果も備える。
【考案を実施するための最良の形態】
【００１６】
既成ヘルメットの縁に存在する突起を日除け部位として利用し、その突起に、チューブを固着した着脱可能な日除け部材を挿着することにより炎天下の日射病を予防し、紫外線の防止になることを実現した。
【実施例１】
【００１７】
本考案の一実施例を図面を参照して説明するが、本実施するための最良の形態が限定
されないことは言うまでもない。
まず、日除部材4の実施形態について説明する。
図2に示すように、日除部材4には、既成ヘルメット1の縁に存在する突起2を日除け部位として利用するため、その突起2を嵌入できるような凹形状のチューブ3を固着する。その固着方法は、重着、圧着、溶着、いずれの方法でもよい。
【００１８】
次に、上記で記述したチューブ3を固着した日除部材4を既成ヘルメット1の縁に存在する突起2に装着することになるが、この場合、上項に記載したように、日除部材4に固着したチューブ3は、凹形状になっているため、この凹形状に既成ヘルメット1の縁に存在する突起2を挿入して挿着する。(図4,図5,図6を参照)
【００１９】
次に着脱について説明する。
着脱は、日除部材4に固着したチューブは凹形状になっているため、ヘルメット1の縁に沿って引き抜けば容易に離脱し、また、縁に沿って凹形状のチューブ3を突起2挿入すれば、容易に装着できる。
【００２０】
また、日除部材4の素材には、何を使用してもいいが、夏は通気性のよい、メッシュ素材等と使用して遮光する。しかも、日除部材4と首との空間に他の熱中症対策グッズとかと併用が可能である。
【図面の簡単な説明】
【００２１】
【図１】本考案の一実施例のヘルメット装着状態の概略的側面図である。
【図２】日除けノレンの平面図である。
【図３】日除けノレンの概略的斜視図である。
【図４】平型ヘルメット後部に日除け部材を密着させた状態の詳細図である。
【図５】鉄兜型ヘルメット後部に日除け部材を密着させた状態の詳細図である。
【図６】野球帽型ヘルメット後部に日除け部材を密着させた状態の詳細図である。
【図７】本考案の一実施例のヘルメット装着状態の時にマスクを装着した斜視図である。
【図８】マスクを装着した状態の正面図である。
【符号の説明】
【００２２】
１  ヘルメット
２  ヘルメットの縁(突起部)
３  チューブ
４  日除け部材
５  取付部
６  日除け部材取付部
７  マスク.取付部
８  マスク
【図１】
0003147176.tif 000003
【図２】
0003147176.tif 000004
【図３】
0003147176.tif 000005
【図４】
0003147176.tif 000006
【図５】
0003147176.tif 000007
【図６】
0003147176.tif 000008
【図７】
0003147176.tif 000009
【図８】
0003147176.tif 000010
(57)【要約】      （修正有）【課題】一般家庭において、日常、生ゴミ等可燃ゴミやプラスティック等リサイクルゴミを屋内のゴミ箱に捨てる際に、指定ゴミ袋が安定して開いていてゴミが捨てやすく、また余分なスペースをとらずに設置できるゴミ箱を提供する。【解決手段】家庭用ゴミ袋設置枠付ゴミ箱の中にゴミ袋１００を備え、該ゴミ袋の上部をゴミ箱上部の枠部１０１に被せて外側に折り返し、洗濯バサミ等で挟んで枠部に固定することにより、ゴミを捨てるときにゴミ袋が安定して開いていて、家事に熟練していない者であってもゴミが捨てやすいと共に、中身がわかりやすく、ゴミの分別廃棄に役立てられる。【選択図】図１
0003147149.tif 000002
【実用新案登録請求の範囲】
【請求項１】
家庭用ゴミ袋を設置するための枠であって、
ゴミ袋の口を開いた状態に維持するための上部枠部と、
前記枠部に接合され、前記上部枠部を保持する柱部と、
前記柱部の底面側に接合され、前記柱部を固定する底面部と、を備えていることを特徴とする家庭用ゴミ袋設置枠。
【請求項２】
請求項１に記載の家庭用ゴミ袋設置枠において、
底面側に設置されている底面部の形状は、浅い直方体であることを特徴とする家庭用ゴミ袋設置枠。
【考案の詳細な説明】
【技術分野】
【０００１】
本考案は、家庭用の指定ゴミ袋等を設置するための枠付き簡易ゴミ箱に関する。
【背景技術】
【０００２】
近年、地方自治体においてはゴミ産出量の増加やゴミ分別処理の必要性に伴う、ゴミ焼却炉の性能をはじめとする種々のゴミ問題が浮上している。一方、一般家庭においても環境問題の取り組みの一環として、日常生活において排出されるゴミの分別廃棄は、重要な課題である。台所等で日常排出される生ゴミをはじめとする可燃ゴミ、またはプラスティック等リサイクルゴミを効率よく分別廃棄するためには、ゴミの種類に応じた複数個のゴミ箱の設置が必要である。
【特許文献１】特開２００８−０３７６４５
【考案の開示】
【考案が解決しようとする課題】
【０００３】
しかしながら、台所に、指定ゴミ袋を設置できる程度の大きさのゴミ箱を複数個備えることは、日本の住宅事情に鑑みて、台所スペースの有効利用の観点から考えると、難しい場合が多い。
【０００４】
そこで、本考案は、一般家庭の屋内において日常のゴミをゴミ箱に捨てる際に、所定の大きさと形状のゴミ袋が、開いている状態で保持されていてゴミが捨てやすく、また余分なスペースをとらずに設置できて、重さが軽くて移動も容易にできる、ゴミ箱を提供することを目的とする。
【課題を解決するための手段】
【０００５】
請求項１に記載された考案は、家庭用指定ゴミ袋設置枠であって、
ゴミ袋の口を開いた状態に維持するための上部枠部と、
前記枠部に接合され、前記上部枠部を保持する柱部と、
前記柱部の底面側に接合され、前記柱部を固定する底面部と、を備えていることを特徴とする。
【０００６】
請求項２に記載された考案は、請求項１に記載の家庭用ゴミ袋設置枠において、
底面側に設置されている底面部の形状は、浅い直方体であることを特徴とする。
【考案の効果】
【０００７】
本考案によれば、従来のゴミ箱に比較して、家庭で生じる生ゴミ等種々のゴミを分別廃棄する際に、指定ゴミ袋等が安定して開いているために、家事に熟練していない者であっても、容易にゴミが捨てられ、家事の妨げにならない。また台所に複数個設置する場合にも最小限の場所の確保で対応できる。
【考案を実施するための最良の形態】
【０００８】
以下、図を参照しつつ、考案を実施するための最良の形態につき説明する。
（実施の形態１）
図１は実施の形態１に係る家庭用ゴミ袋設置枠である。
図１において、１００は指定ゴミ袋等ゴミ袋であり、１０１は本考案の家庭用ゴミ袋設置枠の枠部であり、１０２は柱部であり、１０３は底面部である。
【０００９】
底面部１０３は浅い直方体であって、隅に害虫駆除の薬剤等を置くことも可能である。なお底面部１０３の形状は、枠部１０１と同様の枠だけであっても良い。本考案の家庭用ゴミ袋設置枠の柱部１０２の長さは、指定ゴミ袋等ゴミ袋１００の縦の長さに対応し、枠部１０１の円周の長さは、ゴミ袋１００を開けたときの円周に対応するが、ゴミ袋１００よりも本考案の家庭用ゴミ袋設置枠の長さのほうが若干短い。
【００１０】
指定ゴミ袋等ゴミ袋１００は、本考案の家庭用ゴミ袋設置枠の中に備えて、ゴミ袋１００の上部を枠部１０１に被せて外側に折り返し、洗濯バサミ等で挟むことにより枠部に固定して使用する。このことによりゴミ袋は、ゴミを捨てたときにも安定して開いた状態を保つことが可能である。
【図面の簡単な説明】
【００１１】
【図１】実施の形態１に係る家庭用ゴミ袋設置枠を示す斜視図である。
【符号の説明】
【００１２】
１００      指定ゴミ袋等ゴミ袋
１０１      本考案の家庭用ゴミ袋設置枠の枠部
１０２      本考案の家庭用ゴミ袋設置枠の柱部
１０３      本考案の家庭用ゴミ袋設置枠の底面部
【図１】
0003147149.tif 000003
(57)【要約】      （修正有）【課題】布団の収納スペースを節約し、布団の重みや皮膚との擦れを解放できる様に、掛け布団の替わりに、幌状に成形した布を設けたエアコンつき幌型ベッドを提供する。【解決手段】ベッド１の両側面に溝２を設け、そこに骨組３を数本設置する。３に速乾性の布４を張り付ける。１，２，３，４によってできた空間の温度湿度を、付属するエアコンで調節する。３と４は蛇腹のように伸縮することが可能である。また、頭部がでる開口部５に綿を入れた布で蓋ができるようにする。【選択図】図１
0003147115.tif 000002
【実用新案登録請求の範囲】
【請求項１】
ベッドの両端に半円型の骨組みを設けた、エアコン付き幌型ベッド。
【考案の詳細な説明】
【技術分野】
【０００１】  この考案は、ベッドに半円型の骨組みと布を設けた、エアコン付きベッドに関するものである。
【背景技術】
【０００２】  従来の寝具は、布団を使用していた。
【考案の開示】
【考案が解決しようとする課題】
【０００３】  布団では、人体による蒸れや温度の変化を調節することはできなかった。また季節にあわせた布団が必要であり、たびたび布団を干さねばならなかった。この考案は、以上の様な欠点をなくすためになされたものである。
【課題を解決するための手段】
【０００４】  ベッド（１）の両側面に溝（２）を設け、そこに骨組（３）を設置する。（３）に布（４）を張り付ける。（１２３４）によってできた空間の温度湿度を、付属するエアコンで調節する。本校案は以上の構成によりなる、エアコン付き幌型ベッドである。
【考案の効果】
【０００５】      掛け布団の代わりに幌を用いるので、掛け布団が不要になる。このことにより、押し入れなどの収納スペースが節約され、体が感じる布団の重みや、布団と皮膚との擦れからも解放される。また、幌の内部のドーム型の空間を、付属するエアコンにより、個人にあった温度湿度に保つ。そして、幌部分はその骨組を溝上で移動させることができるので身体の一部または全面を覆うことができ、一ヶ所にまとめておくこともできる。
【考案を実施するための最良の形態】
【０００６】  以下、本考案を実施するための最良の形態について説明する。
ベッド（１）の両側面に溝（２）を設け、そこに骨組（３）を数本設置する。（３）に速乾性の布（４）を張り付ける。（１２３４）によってできた空間の温度湿度を、付属するエアコンで調節する。（３）と（４）は蛇腹のように伸縮することが可能である。また、頭部がでる開口部（５）に綿を入れた布で蓋ができるようにする。本校案は、以上のような構造である。
【図面の簡単な説明】
【０００７】
【図１】本考案の側面図である。
【図２】本考案の斜視図である。
【符号の説明】
【０００８】１  ベッド
２  溝
３  骨組
４  布
５  蓋
【図１】
0003147115.tif 000003
【図２】
0003147115.tif 000004
(57)【要約】      （修正有）【課題】おんぶ紐を使用した時に強調される胸元を隠し、室内外、季節を問わず着用出来るおんぶ用上着を提供する。【解決手段】後ろ身頃１を乳幼児の分も加えた幅にする。襟部分２を背負われた乳幼児の襟位置まで下げる。【選択図】図１
0003147120.tif 000002
【実用新案登録請求の範囲】
【請求項１】
後ろ身頃の幅を広くし、後ろ襟部分を下げたことを特徴とするおんぶ用上着。
【考案の詳細な説明】
【技術分野】
【００１】本考案は、おんぶ紐の使用時に、背負われている乳幼児と背負っている者に掛ける上着に関するものである。
【背景技術】
【００２】従来の技術には、後ろ身頃に拡張布を用いた防寒目的のおんぶ用上着、おんぶ紐使用時に強調される胸部を隠すためのおんぶ用エプロンがある。
【考案の開示】
【考案が解決しようとする課題】
【００３】一般に使用されるおんぶ紐は、胸元でばってんにするたすき掛けが多く、おんぶ紐を使用した時に胸元が強調され、そのままでは外出しづらく、胸元を隠すための上着などが必要であった。
しかし従来のおんぶ用上着は、冬季の外出時の防寒目的であるため、着用する季節、場所が限られていた。
又、おんぶ用エプロンも一般的に家事用として使用されているため、外出には不向きであった。
本考案は、これらの問題を解消するために、上着の後ろ身頃を広くして、胸元を広く覆い、背負われた乳幼児の頭部を襟元から広く露出させて、暑苦しくないようにしようとするものである。
【課題を解決するための手段】
【００４】後ろ身頃の幅を広くし、後ろ襟部分を下げたことを特徴とするおんぶ用上着である。
【考案の効果】
【００５】本考案は、通常の衣服のように着用するだけで、おんぶ紐で強調される胸元を隠し、さらに背負われている乳幼児の頭部が出ているので、視界も良く暑苦しさが無い。
その為、素材や袖の長さを変えることによって、室内外問わず通年着用できる。
【実施例】
【００６】実施例について図面に基づいて説明する。
後ろ身頃（１）の身幅を乳幼児の分も含めた幅にし、襟部分（２）を背負われた乳幼児の襟位置まで下げる。
【図面の簡単な説明】
【００７】
【図１】本考案の背面図である。
【図２】本考案の使用状態を示す斜視図である。
【符号の説明】
【００８】１  後ろ身頃
２  襟部分
【図１】
0003147120.tif 000003
【図２】
0003147120.tif 000004
(57)【要約】      （修正有）【課題】ペットをやさしくコントロールしながらお散歩するための、リードを取り付けた釣竿式のポールを提供する。【解決手段】ペットのお散歩用リード１を、しなやかで、弾力性のあるポール２に接合した構造を持つことを特徴とする。これにより犬と飼い主の間を常に程よい距離に保つことができ、犬の急激な動きにもしなやかに反応し、適切にコントロールすることができる。【選択図】図１
0003147124.tif 000002
【実用新案登録請求の範囲】
【請求項１】
ペットのお散歩用リードを取り付けた、柔らかくしなる釣竿式のポール。
【考案の詳細な説明】
【技術分野】
【０００１】  この実用新案は、ペットをやさしくコントロールしながらお散歩するための、リードを取り付けた、釣竿式のポールに関するものである。
【背景技術】
【０００２】  従来、ペットのお散歩用リードは、長さが固定式のタイプであるか、リール機構を持ちリードの長さが伸縮するタイプのふたつであった。
【考案の開示】
【考案が解決しようとする課題】
【０００３】  これは、次のような欠点があった。
イ）本来、リードをとおして、犬と飼い主が適切な距離でつながっていることができない。
ロ）あるときは、リードが緩んだ状態で、コントロール不能な状態となり、犬が好き勝手に動ける状態である。
ハ）またあるときは、犬がリードを強くひっぱっている状態で、犬が我儘に行動したい時の状態である。いづれも、犬と飼い主双方に、ストレスが生じる。
ニ）また、緩やかにリードが張っている状態で、ベストなときでも、犬の急激な動きに、飼い主がひっぱられてしまい、お年寄りや子供には、大変危険な状況が生じる。
本実用新案は、以上のような欠点をなくすためのものである。
【課題を解決するための手段】
【０００４】    リード（１）が、しなやかで弾力性のあるポール（２）に接続された構造体である。
本実用新案は、以上の構成よりなる、お散歩リード付きのポールである。
【考案の効果】
【０００５】イ）犬と飼い主の間を、常に程よい距離に保つことが出来る。
ロ）犬と飼い主双方の安全に寄与する。
ハ）犬の急激な動きに、しなやかに反応し、適切にコントロールできる。
ニ）犬を直接見なくても、およその位置を把握できるので、飼い主は、周囲に注意を向け  ることが出来る。
ホ）結果として、犬を正しくしつけることがしやすい。
【考案を実施するための最良の形態】
【０００６】以下、本実用新案を実施するための最良の形態について説明する。
ポールの材質は、丈夫でしなやかに曲げることができる樹脂素材が良い。
イ）ポールの長さは、約６０ｃｍが望ましい。
ロ）このポールに、リードを穴にとおしたガイドリングを、先端と中間位置の２箇所に取  り付ける。
ハ）更に、リードを巻き取るリールをポールのグリップエンドに取り付ける。
リールには、リードのストッパーがつき、６０ｃｍの範囲で出し入れできる。
ニ）リードの長さは、全長約１８０ｃｍほどが望ましい。
ホ）先端の１／３（約６０ｃｍ）は、ポールの先から、常に出ている部分で、犬の首輪に  つなげる。
ヘ）中間の１／３（約６０ｃｍ）は、ポールと一体化している部分。
ト）残りの１／３（約６０ｃｍ）は、通常はリールの中に収納されているが、散歩時の状  況で、飼い主の判断で伸ばすことができる。
本実用新案は以上のような、構造である。
【図面の簡単な説明】
【０００７】
【図１】本実用新案の斜視図Ａ（リード末部がリールに収納されている場合）
【図２】本実用新案の斜視図Ｂ（リード末部がリールから出ている場合）
【図３】イラストＡ（犬と飼主が普通に散歩している状態）
【図４】イラストＢ（犬が急激に動いた時に、ポールをしならせてコントロール）
【図５】イラストＣ（リードを長くして、犬を自由にさせている状態）
【符号の説明】
【０００８】（１）ポール
（２）リング
（３）リード用リール（リードの約１／３が収納されている）
（４）リード先端の首輪取付け用フック
（５）リードの先部１／３のところで、ポールの先端から常に出ている部分
（６）リードの中間部ポールと同じ長さの１／３の部分
（７）リールのリードストッパーボタン
（８）リードの末部１／３の部分で、通常リールの中に収納されている部分
（９）リードに付いている、中間ストッパー
（１０）リールからリードの出てくる穴
（１１）にぎり部
【図１】
0003147124.tif 000003
【図２】
0003147124.tif 000004
【図３】
0003147124.tif 000005
【図４】
0003147124.tif 000006
【図５】
0003147124.tif 000007
(57)【要約】      （修正有）【課題】植木鉢と受皿を連結する機構を持ち、鉢と受皿を一緒に移動させたり、劇的に安定を良くし倒れにくくし、また受け皿の種類を増やすことにより、植え替える事なしに、壁掛けや天井吊り用に変更できる植木鉢と受皿を提供する。【解決手段】植木鉢１の脚部にＬ字型のフック２を持ち、受皿３にフックと連結するためのカギ４を設けたことを特徴とする。受皿に鉢を載せて、少し回転させることで、フックとカギを連結させることができる。【選択図】図１
0003147123.tif 000002
【実用新案登録請求の範囲】
【請求項１】
植木鉢の脚部にＬ字型フックを持ち、受皿の上部にフックと連結するためのカギを持つ、植木鉢と受皿。
【考案の詳細な説明】
【技術分野】
【０００１】  この実用新案は、簡単に連結や取外しが出来る、脚部にＬ字型のフックが付いた植木鉢と、フックと噛み合うカギのついた受皿に関するものである。
【背景技術】
【０００２】  従来、植木鉢と受け皿は、機能としては全く別物であり、基本的に受皿は、植木鉢の染み出た水を受けるためだけに存在している。
【考案の開示】
【考案が解決しようとする課題】
【０００３】  これは、次のような欠点があった。
イ）植木鉢と受皿を移動すとき、それぞれ別々に移動させねばならないので、手が塞がり、手間もかかった。
ロ）特に、鉢を単独で持った時は、土がこぼれたり、水がしたたり、室内であれば、掃除が大変であった。
ハ）通常、鉢本体は、上部が広く、地面に近い下部が狭い構造となっているため、とても倒れやすい構造である。
ニ）特に、植木が成長し、大きくなってくると倒れることがさらに多くなる。
本実用新案は、以上のような欠点をなくすためのものである。
【課題を解決するための手段】
【０００４】  本実用新案は、植木鉢の脚部にＬ字型フック（１）を持ち、受皿の上部にはフックと噛合うカギ（２）が付いている。受皿の上に鉢を置き、少し回転させることにより連結する構造体である。
本実用新案は、以上の構成よりなる、
【考案の効果】
【０００５】  イ）テーブルの掃除などで移動する際、鉢を持てば、一緒に受皿を運べる。
ロ）受皿が、鉢本体と連結されるので、非常に安定が良い。
ハ）スタンダード受皿から壁掛け用受皿や天井吊下げ用受皿に乗せかえることで、植替えをすることなしに、飾る場所を変更できる。
【考案を実施するための最良の形態】
【０００６】  以下、本実用新案を実施するための最良の形態について説明する。
材質は、加工のしやすさとコストから、樹脂が望ましい。
植木鉢の脚部に、Ｌ字型のフックを設ける。（３箇所）
受け皿の上部にフックと連絡するためのカギを設ける。（３箇所）
鉢のＬ字型フックは、傾斜を持っているので、カギと噛合わせ回転させると、途中で固定される構造となる。
植木鉢・受皿のサイズやカラー、デザインは自由。
本実用新案は以上のような構造である。
【図面の簡単な説明】
【０００７】
【図１】鉢と受皿を連結させた状態の斜視図
【図２】フック（鉢）とカギ（皿）の噛合い斜視図
【図３】鉢を下から見上げた斜視図
【図４】鉢の底面図
【図５】スタンダードタイプの受皿を上から見た斜視図
【図６】スタンダード型受皿の平面図
【図７】壁掛け用の受皿を上から見た斜視図
【図８】天井吊下げ用の受皿を上から見た斜視図
【符号の説明】
【０００８】（１）植木鉢
（２）植木鉢の脚部、Ｌ字型フック
（３）受皿（スタンダード）
（４）受け皿の上部に付くカギ
（５）受皿（壁掛け用）
（６）受皿（天井吊下げ用）
（７）壁に接する面（釘穴付き）
（８）鉢を支えるための補強
（９）天井吊下げのための紐部分
【図１】
0003147123.tif 000003
【図２】
0003147123.tif 000004
【図３】
0003147123.tif 000005
【図４】
0003147123.tif 000006
【図５】
0003147123.tif 000007
【図６】
0003147123.tif 000008
【図７】
0003147123.tif 000009
【図８】
0003147123.tif 000010
(57)【要約】      （修正有）【課題】冬場の乾燥する時期に、指が滑って本のページがめくりにくくなる時のために、外出先でもすぐに紙めくりジェルを使用出来るように、本にはさむ、薄くて小型の紙めくりジェル容器を取り付けた栞を提供する。【解決手段】栞２に、紙めくりジェルを注入した容器１を取り付け、栞の一端を折り曲げて容器のフタ３とする簡単な構造を特徴とする。紙めくりジェル容器が栞と一体となったことにより、読みかけの本に挟んでいつでも持ち歩くことができる。【選択図】図１
0003147122.tif 000002
【実用新案登録請求の範囲】
【請求項１】
小型薄型の紙めくりジェル容器を取り付けた、本の栞。
【考案の詳細な説明】
【技術分野】
【０００１】  この実用新案は、紙めくりジェルを注入した容器を、本の栞に一体化させたものに関するものである。
【背景技術】
【０００２】  従来、紙めくりは、事務用の机上用品であった。
【考案の開示】
【考案が解決しようとする課題】
【０００３】  これは、外出先での使用にあたって、次のような欠点があった。
イ）容器のサイズが大きいため、持ち運びに不便であった。
ロ）フタは、本体と一体化されていないので、外出先では、落とし易く扱いにくい。
ハ）容器の厚みがありすぎて、本に挟む事ができない。
ニ）また、容器を本の栞として固定させる手段をもたなかった。
本実用新案は、外出先での使用にあたり、以上のような欠点をなくすためのものである。
【課題を解決するための手段】
【０００４】  栞の一端を折り曲げて、紙めくり容器のフタ（３）とする。紙めくりジェル容器（１）は、栞の本体（２）に接着されており、紙めくりジェル（５）が注入されている。
本実用新案は、以上の構成よりなる、小型薄型の紙めくりジェル容器を取り付けた、本の栞である。
【考案の効果】
【０００５】  紙めくりジェル容器が栞と一体となったことにより、読みかけの本に挟んで、いつでも持ち歩く事ができる。電車の中などで読書をする際、特に冬場では、指先が乾燥して滑ってしまい、ページをめくる事が難しいことがある。こんなとき、指をなめずに、指先に紙めくりジェルをつけることができる。
【考案を実施するための最良の形態】
【０００６】  栞本体は、ＰＰ（ポリプロピレン）などの、薄いが丈夫な素材が良い。幅３０ｍｍ前後、長さ１５０ｍｍから２００ｍｍ程度にカットし、長さ方向の３０ｍｍほどが折り曲げられた構造体となる。
折り曲げられた先端の３０ｍｍに重なる本体に、紙めくりジェルを注入するリング状の容器を接着する。リングは、シリコンやエラストマーなどの柔らかい素材が望ましい。また、リングの直径は２０ｍｍ程度が良い。（親指をこすることのできる大きさ）また、リングの厚みは２ｍｍから３ｍｍ程度とし、薄い構造体で、本にはさみ込んだときに、気にならず、邪魔にならない程度が望ましい。
簡単なフタのため、夏場は、紙めくりジェルが染み出る可能性がある。そこで、リングの中にフェルトをいれ、ジェルをフェルトに染み込ませて利用することもできる。
本実用新案は、以上のような構造である。
これを使用すると、外出先において本のページをめくる際、簡単に紙めくりジェルを使用することができる。
【図面の簡単な説明】
【０００７】
【図１】本実用新案の斜視図である。
【図２】本実用新案の展開図である。
【符号の説明】
【０００８】（１）ジェル容器の本体部分
（２）栞シートのジェル本体を接着する面（長方向）
（３）栞シートのフタ部分
（４）折込み線
【図１】
0003147122.tif 000003
【図２】
0003147122.tif 000004